【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
複数のデジタルリモートユニット（ＤＲＵ）を有するワイヤレス通信システム内で不均一に配分されたネットワークトラフィックを平衡化する方法であって、
ａ）基地局の複数のセクタに関連付けられたデジタルアクセスユニット（ＤＡＵ）を提供するステップであって、前記ＤＡＵがプロセッサを備える、ステップと、
ｂ）前記ＤＡＵに関連付けられ且つ前記ＤＡＵ内の前記プロセッサに結合された複数のＤＲＵを提供するステップと、
ｃ）前記ＤＡＵ内の前記プロセッサによって、前記複数のＤＲＵを複数のＤＲＵセクタに区画するステップと、
ｄ）前記ＤＡＵ内の前記プロセッサによって、前記複数のＤＲＵセクタに関連する拒否呼の数を測定するステップと、
ｅ）前記ＤＡＵ内の前記プロセッサによって、前記拒否呼の数が所定の閾値より大きいと判断するステップと、
ｆ）前記ＤＡＵ内の前記プロセッサによって、少なくとも要素（ｃ）〜（ｅ）を使用して反復するステップと、
を含む方法。
【請求項２】
反復するステップが、少なくとも１つの最適化アルゴリズムを利用するサブステップを含む、請求項１に記載の方法。
【請求項３】
前記少なくとも１つの最適化アルゴリズムが、遺伝的アルゴリズム（ＧＡ）又は分布推定アルゴリズム（ＥＤＡ）の少なくとも１つである、請求項２に記載の方法。
【請求項４】
前記少なくとも１つの最適化アルゴリズムが少なくとも１つの線形計画法モデルを含む、請求項２に記載の方法。
【請求項５】
前記ＤＲＵセクタの各々が、つながったＤＲＵからなる、請求項１に記載の方法。
【請求項６】
仮想基地局（ＶＢＳ）に割り当てられたライセンス／ソースの総数を判定するステップをさらに含む、請求項１に記載の方法。
【請求項７】
分散アンテナシステム（ＤＡＳ）内で不均一に配分されたネットワークトラフィックを平衡化する方法であって、
ａ）基地局の複数のセクタに関連付けられたデジタルアクセスユニット（ＤＡＵ）を提供するステップであって、前記ＤＡＵがプロセッサを備える、ステップと、
ｂ）前記ＤＡＵに関連付けられ且つ前記ＤＡＵ内の前記プロセッサに結合された複数のデジタルリモートユニット（ＤＲＵ）を提供するステップと、
ｃ）前記ＤＡＵ内の前記プロセッサによって、前記複数のＤＲＵを複数のＤＲＵセクタに区画するステップと、
ｄ）前記ＤＡＵ内の前記プロセッサによって、前記複数のＤＲＵセクタに関連付けられたトラフィック条件についての少なくとも１つの指標を測定するステップと、
ｅ）前記ＤＡＵ内の前記プロセッサによって、前記少なくとも１つの指標を所定の閾値と比較するステップと、
ｆ）前記ＤＡＵ内の前記プロセッサによって、区画を繰り返すことが許容されると判定するステップと、
ｇ）前記ＤＡＵ内の前記プロセッサによって、少なくとも要素（ｃ）〜（ｅ）を繰り返すステップと、
を含む方法。
【請求項８】
前記少なくとも１つのシステム指標が、呼のハンドオフを最少にすること、又は前記ＤＲＵの各々のコンパクトさの指標を最大にすることの少なくとも１つを含む、請求項７に記載の方法。
【請求項９】
前記複数のＤＲＵセクタの各々が実質的にコンパクトである、請求項７に記載の方法。
【請求項１０】
前記少なくとも１つの指標が、所定の信号対雑音比（ＳＮＲ）に関連付けられたユーザの最大数を含む、請求項７に記載の方法。
【請求項１１】
繰り返すステップが少なくとも１つの最適化アルゴリズムを利用するサブステップを含む、請求項７に記載の方法。
【請求項１２】
前記少なくとも１つの最適化アルゴリズムが、遺伝的アルゴリズム（ＧＡ）又は分布推定アルゴリズム（ＥＤＡ）の少なくとも１つである、請求項１１に記載の方法。
【請求項１３】
前記少なくとも１つの最適化アルゴリズムが少なくとも１つの線形計画法モデルを含む、請求項１１に記載の方法。
【請求項１４】
前記ＤＲＵセクタの各々が、つながったＤＲＵからなる、請求項７に記載の方法。
【請求項１５】
分散アンテナシステム（ＤＡＳ）であって、
１つ又は複数のデジタルアクセスユニット（ＤＡＵ）と、
前記１つ又は複数のＤＡＵに結合された複数のデジタルリモートユニット（ＤＲＵ）と、
前記複数のＤＲＵに結合され、非一時的なコンピュータ読み出し可能記憶媒体を備えるデータプロセッサであり、前記記憶媒体は、前記コンピュータ読み出し可能記憶媒体に有形に具現化された複数のコンピュータ可読命令を備え、前記複数のコンピュータ可読命令は前記データプロセッサによって実行されると、ネットワークトラフィックの平衡化を実現する、データプロセッサと、
を備え、前記複数のコンピュータ可読命令は、
ａ）前記データプロセッサに、前記複数のＤＲＵを複数のＤＲＵセクタに区画させる命令と、
ｂ）前記データプロセッサに、前記複数のＤＲＵセクタに関連するトラフィック条件についての少なくとも１つのシステム指標を測定させる命令と、
ｃ）前記データプロセッサに、前記少なくとも１つのシステム指標を所定の閾値と比較させる命令と、
ｄ）前記データプロセッサに、前記少なくとも１つのシステム指標が前記所定の閾値より大きいことを判定させる命令と、
ｅ）前記データプロセッサに、少なくとも要素命令（ａ）〜（ｄ）を反復することを実行させる命令と、
を含むＤＡＳ。
【請求項１６】
前記少なくとも１つのシステム指標が拒否呼の数を含む、請求項１５に記載のＤＡＳ。
【請求項１７】
前記少なくとも１つのシステム指標が、前記複数のＤＲＵセクタのうち２つの間で生じる呼のハンドオフの回数を含む、請求項１５に記載のＤＡＳ。
【請求項１８】
前記ＤＲＵセクタの各々が、つながったＤＲＵからなる、請求項１５に記載のＤＡＳ。
【請求項１９】
前記ＤＲＵセクタの各々が実質的にコンパクトである、請求項１５に記載のＤＡＳ。
【請求項２０】
前記反復することが、少なくとも１つの最適化アルゴリズムを利用するサブステップを含む、請求項１５に記載のＤＡＳ。
【手続補正２】
【補正対象書類名】明細書
【補正対象項目名】００９３
【補正方法】変更
【補正の内容】
【００９３】
[0102]上記で様々な例を説明した。上記及び他の例は以下の特許請求の範囲にある。
［発明の例］
［例１］
複数のデジタルリモートユニット（ＤＲＵ）を有するワイヤレス通信システム内で不均一に配分されたネットワークトラフィックを平衡化する方法であって、
ａ）基地局の複数のセクタに関連付けられたデジタルアクセスユニット（ＤＡＵ）を提供するステップと、
ｂ）前記ＤＡＵに関連付けられた複数のＤＲＵを提供するステップと、
ｃ）前記複数のＤＲＵを複数のＤＲＵセクタに区画するステップと、
ｄ）前記複数のＤＲＵセクタに関連する拒否呼の数を測定するステップと、
ｅ）前記拒否呼の数が所定の閾値より大きいと判断するステップと、
ｆ）少なくとも要素（ｃ）〜（ｅ）を使用して反復するステップと、
を含む方法。
［例２］
反復するステップが、少なくとも１つの最適化アルゴリズムを利用するサブステップを含む、例１に記載の方法。
［例３］
前記少なくとも１つの最適化アルゴリズムが、遺伝的アルゴリズム（ＧＡ）又は分布推定アルゴリズム（ＥＤＡ）の少なくとも１つである、例２に記載の方法。
［例４］
前記少なくとも１つの最適化アルゴリズムが少なくとも１つの線形計画法モデルを含む、例２に記載の方法。
［例５］
前記ＤＲＵセクタの各々が、つながったＤＲＵからなる、例１に記載の方法。
［例６］
仮想基地局（ＶＢＳ）に割り当てられたライセンス／ソースの総数を判定するステップをさらに含む、例１に記載の方法。
［例７］
分散アンテナシステム（ＤＡＳ）内で不均一に配分されたネットワークトラフィックを平衡化する方法であって、
ａ）基地局の複数のセクタに関連付けられたデジタルアクセスユニット（ＤＡＵ）を提供するステップと、
ｂ）前記ＤＡＵに関連付けられた複数のデジタルリモートユニット（ＤＲＵ）を提供するステップと、
ｃ）前記複数のＤＲＵを複数のＤＲＵセクタに区画するステップと、
ｄ）前記複数のＤＲＵセクタに関連付けられたトラフィック条件についての少なくとも１つの指標を測定するステップと、
ｅ）前記少なくとも１つの指標を所定の閾値と比較するステップと、
ｆ）区画を繰り返すことが許容されると判定するステップと、
ｇ）少なくとも要素（ｃ）〜（ｅ）を繰り返すステップと、
を含む方法。
［例８］
前記少なくとも１つのシステム指標が、呼のハンドオフを最少にすること、又は前記ＤＲＵの各々のコンパクトさの指標を最大にすることの少なくとも１つを含む、例７に記載の方法。
［例９］
前記複数のＤＲＵセクタの各々が実質的にコンパクトである、例７に記載の方法。
［例１０］
前記少なくとも１つの指標が、所定の信号対雑音比（ＳＮＲ）に関連付けられたユーザの最大数を含む、例７に記載の方法。
［例１１］
繰り返すステップが少なくとも１つの最適化アルゴリズムを利用するサブステップを含む、例７に記載の方法。
［例１２］
前記少なくとも１つの最適化アルゴリズムが、遺伝的アルゴリズム（ＧＡ）又は分布推定アルゴリズム（ＥＤＡ）の少なくとも１つである、例１１に記載の方法。
［例１３］
前記少なくとも１つの最適化アルゴリズムが少なくとも１つの線形計画法モデルを含む、例１１に記載の方法。
［例１４］
前記ＤＲＵセクタの各々が、つながったＤＲＵからなる、例７に記載の方法。
［例１５］
分散アンテナシステム（ＤＡＳ）であって、
１つ又は複数のデジタルアクセスユニット（ＤＡＵ）と、
前記１つ又は複数のＤＡＵに結合された複数のデジタルリモートユニット（ＤＲＵ）と、
前記複数のＤＲＵに結合され、非一時的なコンピュータ読み出し可能記憶媒体を備えるデータプロセッサであり、前記記憶媒体は、前記コンピュータ読み出し可能記憶媒体に有形に具現化された複数のコンピュータ可読命令を備え、前記命令は前記データプロセッサによって実行されると、ネットワークトラフィックの平衡化を実現する、データプロセッサと、
を備え、前記複数の命令は、
ａ）前記データプロセッサに、前記複数のＤＲＵを複数のＤＲＵセクタに区画させる命令と、
ｂ）前記データプロセッサに、前記複数のＤＲＵセクタに関連するトラフィック条件についての少なくとも１つのシステム指標を測定させる命令と、
ｃ）前記データプロセッサに、前記少なくとも１つのシステム指標を所定の閾値と比較させる命令と、
ｄ）前記データプロセッサに、前記少なくとも１つのシステム指標が前記所定の閾値より大きいことを判定させる命令と、
ｅ）少なくとも要素（ａ）〜（ｄ）を反復するステップと、
を含むＤＡＳ。
［例１６］
前記少なくとも１つのシステム指標が拒否呼の数を含む、例１５に記載のＤＡＳ。
［例１７］
前記少なくとも１つのシステム指標が、前記複数のＤＲＵセクタのうち２つの間で生じる呼のハンドオフの回数を含む、例１５に記載のＤＡＳ。
［例１８］
前記ＤＲＵセクタの各々が、つながったＤＲＵからなる、例１５に記載のＤＡＳ。
［例１９］
前記ＤＲＵセクタの各々が実質的にコンパクトである、例１５に記載のＤＡＳ。
［例２０］
繰り返すステップが、少なくとも１つの最適化アルゴリズムを利用するサブステップを含む、例１５に記載のＤＡＳ。